(57)【要約】【課題】下腿部の異なる太さの部位に対応して密着し、位置ズレの発生を防止して、確実にその下腿部を保護する脚部保護具を提供する。【解決手段】人体の膝近傍Ｋａから足首Ｋｂまでの下腿部Ｋを保護する下腿保護部１を備え、下腿保護部１は、人体の脛部Ｋｃの前方を保護する脛保護部材３と、下腿部Ｋの左右側面を保護する可撓性の左右突片部を有すると共に、上記脛保護部材３の裏面側に取着される横断面Ｃ字状の下腿被覆部材２と、を具備し、下腿被覆部材２を上下方向に分割して、２個以上の分割被覆部２Ａ，２Ｂを形成した。【選択図】図１
2011041609.tif 000002
【特許請求の範囲】
【請求項１】
人体の膝近傍（Ｋａ）から足首（Ｋｂ）までの下腿部（Ｋ）を保護する下腿保護部（１）を備え、
上記下腿保護部（１）は、人体の脛部（Ｋｃ）の前方を保護する脛保護部材（３）と、上記下腿部（Ｋ）の左右側面を保護する可撓性の左右突片部（25）（25）を有すると共に上記脛保護部材（３）の裏面（３ａ）側に取着される横断面Ｃ字状の下腿被覆部材（２）と、を具備し、
上記下腿被覆部材（２）を上下方向に分割して、２個以上の分割被覆部（２Ａ）（２Ｂ）を形成したことを特徴とする脚部保護具。
【請求項２】
上下方向に隣合う上記分割被覆部（２Ａ）（２Ｂ）を相互に縫製によって接続する連結部（20）を有し、該連結部（20）には、内面（２ａ）側と外面（２ｂ）を連通する通気孔（21）を、非縫製部位（29）によって形成した請求項１記載の脚部保護具。
【発明の詳細な説明】
【技術分野】
【０００１】
本発明は、脚部保護具に関する。
【背景技術】
【０００２】
従来、選手や審判員の下腿部に他者や球が直接あたらないように保護する球技用の脚保護具は、接触の多い脛部の前方を保護する脛保護部材を設け、さらに、脛保護部材と脛部の間に、下腿部の左右両側を保護する左右突片部を有する下腿被覆部材を設けて、保護している（例えば、特許文献１参照）。
しかし、保護範囲が狭いといった欠点や、バックル部材のベルトが使用者に接触して局部的な圧迫を与えてしまうという欠点があった。
【０００３】
そこで、本出願人は、下腿被覆部材を横断面Ｃ字状に形成した脚部保護具を提案した（特許文献２参照）。即ち、バックル部材のベルトを強く締め付けなくとも下腿被覆部材を密着させ、位置ズレや、ベルトの直接的な圧迫による不快感を防止するために、Ｃ字状に形成する必要があった。
【先行技術文献】
【特許文献】
【０００４】
【特許文献１】特開２００２−４５４５８号公報
【特許文献２】特開２００９−１１５４５号公報
【発明の概要】
【発明が解決しようとする課題】
【０００５】
しかし、人体の下腿部は、足首、踝、脹脛等の太さの異なる部位があるため、一つの上下に長い下肢被覆部材では、前後左右上下方向と立体的な下腿部の太さに沿うように密着させることが困難であった。即ち、下腿部の形状に沿うようにベルトを強く締め付けると、皺やうねりが発生して、使用者と下肢被覆部材の間に大きな隙間ができ位置ズレが発生しやすくなる虞れや、使用者に不快感を与えてしまうという問題があった。
【０００６】
そこで、本発明は、下腿部の異なる太さの部位に対応して密着し、位置ズレの発生を防止して、確実にその下腿部を保護する脚部保護具の提供を目的とする。
【課題を解決するための手段】
【０００７】
上記目的を達成するために、本発明の脚部保護具は、人体の膝近傍から足首までの下腿部を保護する下腿保護部を備え、上記下腿保護部は、人体の脛部の前方を保護する脛保護部材と、上記下腿部の左右側面を保護する可撓性の左右突片部を有すると共に上記脛保護部材の裏面側に取着される横断面Ｃ字状の下腿被覆部材と、を具備し、上記下腿被覆部材を上下方向に分割して、２個以上の分割被覆部を形成したものである。
また、上下方向に隣合う上記分割被覆部を相互に縫製によって接続する連結部を有し、該連結部には、内面側と外面を連通する通気孔を、非縫製部位によって形成したものである。
【発明の効果】
【０００８】
本発明の脚部保護具によれば、人体の下腿部で、脹脛や足首といった太さの異なる部位に、沿うように対応して確実に密着して保護することができる。分割被覆部を夫々保護すべき部位に対応した形状に成形でき、下腿部への密着性を向上させて位置ズレを防止し、確実に保護できる。太さの異なる部位に応じて、独立的にベルトの締め付け力を調整可能にし、装着時の違和感を軽減できる。下腿被覆部材と下腿部の間に不要な隙間の発生を防止し、密着性を向上できる。
【図面の簡単な説明】
【０００９】
【図１】本発明の実施の一形態の使用状態の側面図である。
【図２】本発明の実施の一形態の未装着状態の側面図である。
【図３】未装着状態の背面図である。
【図４】図２の断面図であり、（ａ）はＡ−Ａ断面図であり、（ｂ）はＢ−Ｂ断面図であり、（ｃ）はＣ−Ｃ断面図である。
【図５】下肢被覆部材の断面説明図であり、（ａ）は縫製前を示す断面説明図であり、（ｂ）は縫製後を示す断面説明図である。
【図６】他の実施の形態を示す未装着状態の側面図である。
【図７】別の実施の形態を示す要部断面図である。
【発明を実施するための形態】
【００１０】
以下、図示の実施の形態に基づき本発明を詳説する。
本発明の脚部保護具は、野球やソフトボール等の球技の捕手（選手）や審判員の脚部を保護するものである。
図１乃至図３に示すように、選手や審判員等の使用者の脚部に装着された装着状態で、人体（使用者）の膝部Ｊを保護する膝保護部９と、膝部Ｊ下側の膝近傍Ｋａから踝を含む足首Ｋｂまでの下腿部Ｋを保護する下腿保護部１と、足の甲を保護する甲保護部７と、膝部Ｊの上部（大腿部の下部）の前面を保護する大腿保護部８と、を備えている。
【００１１】
図４に於て、下腿保護部１は、脛部Ｋｃの前方（下腿部Ｋの前面側乃至左右側面の一部）を保護する横断面三日月乃至Ｃ字（浅皿）状の脛保護部材３と、脛保護部材３の裏面３ａ側に縫着される横断面Ｃ字状の下腿被覆部材２と、を備えている。脛保護部材３は、硬質合成樹脂で成形されている。
【００１２】
下腿被覆部材２は、脛保護部材３と脛部Ｋｃの間に配設される脛保護部26を有すると共に、脛保護部26から左右方向に突設され下腿部Ｋの左右側面乃至後面の一部（又は全て）を保護する可撓性の左右突片部25，25を有している。装着状態で、内面２ａ側に、脛部Ｋｃの前方先端部ｋに当接し、上下方向に延びる凸条部30を有している。
【００１３】
なお、本発明に於て、起立姿勢の使用者に装着した状態を基準として方向を呼ぶ。使用者の頭部側を「上」、胸側を「前」、と呼ぶ。また、下腿被覆部材２の使用者に対面する側を内面２ａとし、球や他者が接触してくる側を外面２ｂと呼ぶ。また、脛保護部材３の使用者に対面する側を裏面３ａとし、球や他者が接触してくる側を表面３ｂと呼ぶ。また、縫製（縫着）部を一点鎖線で図示する場合がある。なお、図１，図２，図３，図６に於て、下腿被覆部材２をＣ字型にするための縫着部（ミシン目）や、下腿被覆部材２と脛保護部材３を連結する縫着部（ミシン目）やリベット等は図示省略した。
【００１４】
図５に於て、下腿被覆部材２は、脛保護部材３側に配設される外被覆部材51と、使用者側に配設される内被覆部材52と、棒状のクッション部材53と、を有している。
外被覆部材51は、発泡プラスチック樹脂から成る厚板状の外側用緩衝材51ｂを、表皮部材51ａと当て生地部材51ｃで挟んで接着した３層構造で形成している。
内被覆部材52は、使用者側の配設される内生地部材52ａに、発泡プラスチック樹脂から成る薄板状の内側用緩衝材52ｂを接着した２層構造で形成している。なお、表皮部材51ａ当て生地部材51ｃ、内生地部材52ａは、天然又は人工（合成）の皮革や、ナイロン系やポリエステル系の生地とするのが望ましい。
【００１５】
下腿被覆部材２は、縫製前の図５（ａ）の状態から、図５（ｂ）に示すように、外被覆部材51と内被覆部材52の間に、横断面Ｄ字（半円弧又は蒲鉾型）状のクッション部材53の頂部を、二点鎖線で示す装着時の脛部Ｋｃの前方先端部ｋが当接する位置に配設し、外被覆部材51を内被覆部材52で内面２ａ側へ引っ張り込んで丸め込むように縫製している。縫着後の未装着（自然）状態で左右突片部25，25を円弧型巻き込み状とし、全体の横断面形状を未装着状態でＣ字型巻き込み状としている。また、左右突片部25，25の先端を帯状の縁巻部材54で縫着している。また、クッション部材53の左右両側近傍の外被覆部材51と内被覆部材52をクッション部材53に沿って縫着することで、凸条部30を形成している。
【００１６】
そして、図１乃至図４に於て、下腿被覆部材２を、下腿部Ｋの内で最も太い部位を主として保護する上側の分割被覆部２Ａと、下腿部Ｋの内で最も細い部位を主として保護する下側の分割被覆部２Ｂと、に上下方向に２分割している。下腿部Ｋの内で最も太い部位とは、脹脛を有している部位である。下腿部Ｋの内で最も細い部位とは、足首Ｋｂを有している部位である。
【００１７】
図２に於て、上側の分割被覆部２Ａは、下側の分割被覆部２Ｂより大きく形成している。つまり、上側の分割被覆部２Ａより下側の分割被覆部２Ｂを小さく形成している。また、上側の分割被覆部２Ａの左右突片部25，25を、下側の分割被覆部２Ｂの左右突片部25，25よりも大きく後方に突出させるのが望ましい。
【００１８】
図３に於て、上側の分割被覆部２Ａは左右突片部25，25を背面視で倒立ハの字状に形成され、上端から下端にいくにつれて次第に左右幅が狭くなるような上方拡径状形成し、下腿部Ｋの膝近傍Ｋａや脹脛の形状に沿うように形成している。
下側の分割被覆部２Ｂは左右突片部25，25を背面視で倒立ハの字状に形成され、上端から下端に向かうにつれて、下腿部Ｋの形状に沿うように左右幅を形成している。つまり、足首Ｋｂ近傍で踝によって、踝以外が接触する予定の部分が開いて密着性が損なわれるのを防止すると共に、踝を強く圧迫しない形状としている。
【００１９】
そして、上側の分割被覆部２Ａの下端縁部の内面側に、下側の分割被覆部２Ｂの上端縁部の外面側を重ね合わせて（ラップさせ）、上下方向に隣合う分割被覆部２Ａ，２Ｂを相互に縫製によって接続し連結部20を形成している。
【００２０】
連結部20は、図４（ｂ）に示すように、上側の分割被覆部２Ａの左右突片部25，25の先端近傍と、下側の分割被覆部２Ｂの左右突片部25，25の先端近傍と、が相互に縫着される突片先端側縫着部22を有している。
また、上側の分割被覆部２Ａの左右突片部25，25の基端部近傍と、下側の分割被覆部２Ｂの左右突片部25，25の基端部近傍と、脛保護部材３の側縁部近傍と、が相互に縫着される突片基端側縫着部23を有している。
【００２１】
そして、突片先端側縫着部22と突片基端側縫着部23の間、及び、一方の突片基端側縫着部23と他方の突片基端側縫着部23の間、である非縫製部位29によって、下腿被覆部材２の内面２ａ側と外面２ｂ側を連通する通気孔21を形成している。下腿被覆部材２の前側と左右側に、略上下方向に貫通する通気孔21を３つ形成している。
【００２２】
また、図３及び図４（ｂ）に於て、上側の分割被覆部２Ａの下端縁部の前方中央部を上方へ窪ませて、下腿被覆部材２の内面２ａと外面２ｂを前後方向に連通する通気窓部24を形成している。そして、通気窓部24と、前側の通気孔21を連通させ、装着時に発生する熱気をより確実かつ大量に排出可能又は、外気の侵入を可能としている。また、前側の通気孔21及び通気窓部24を挿通する空気（熱気又は外気）が、下腿被覆部材２の外面２ｂと脛保護部材３の裏面３ａの間を送流するように、下腿被覆部材２と脛保護部材３の間に通気空間部27を形成するように縫着するのが望ましい。
【００２３】
また、図１及び図３に於て、上側分割被覆部２Ａの一方の側面側にベルト付の下腿上部雌バックル部材43と、他方の側面側にゴムベルト付の下腿上部雄バックル部材44と、を設けている。また、下側分割被覆部２Ｂの一方の側面側にベルト付の下腿下部雌バックル部材45と、他方の側面側にゴムベルト付の下腿下部雄バックル部材46と、を設けている。
また、膝保護部９は、一方の側面側にベルト付の膝部雌バックル部材41と、他方の側面側にゴムベルト付の膝部雄バックル部材42と、を設けている。
【００２４】
上述した本発明の脚部保護具の使用方法（作用）について説明する。
下腿部Ｋに下腿被覆部材２の内面２ａ側を当接させる。凸条部30に脛部Ｋｃの前方先端部ｋが当接する。凸条部30は、前方先端部ｋの形状に弾性変形して密着し位置ズレを防止すると共に外部からの衝撃を緩和する。そして、上側の分割被覆部２Ａの左右突片部25，25は、下腿部Ｋの太い部位の左右側面及び後面の一部に、自然と沿う（覆う）ように密着する。また、下側の分割被覆部２Ｂの左右突片部25，25は、下腿部Ｋの細い部位の左右側面及び後面の一部に自然と覆うように密着すると共に、踝によって足首Ｋｂ近傍で下側分割被覆部２Ｂが拡げられることなく密着する。また、分割被覆部２Ａ，２Ｂは、保護すべき部位の太さによる変形を、相互に大きく影響させることなく密着する。脹脛から足首Ｋｂの間で太さが変化する段差部位（傾斜部位）にも沿う。
【００２５】
そして、図１に示すように、下腿部Ｋの後面側で、膝部雄バックル部材42と、下腿上部雄バックル部材44とをＸ字状に交差させて、膝部雄バックル部材42を下腿上部雌バックル部材43に係合させると共に、下腿上部雄バックル部材44を膝部雌バックル部材41に係合させて、上側の分割被覆部２Ａを使用者に密着させて、装着する。
また、下腿下部雌バックル部材45と下腿下部雄バックル部材46とを係合させて下側の分割被覆部２Ｂを使用者に装着する。
【００２６】
使用者が上記のゴムベルト付バックル部材を強く締め付けなくても、左右突片部25，25は自然と下腿部Ｋに沿って密着する。使用者の運動による位置ズレを確実に防止し、不快感を軽減すると共に他者や球からの接触を確実に保護する。また、ゴムベルト部が使用者に直接接触して圧迫するのを防止する。
【００２７】
仮に、上側の分割被覆部２Ａを強く締め付けて密着させるように上記のバックル部材を調整しても、分割されているため、下側の分割被覆部２Ｂは、上側の分割被覆部２Ａからの変形力が（縫着による連結部20で緩和され）大きく伝達されず悪影響を受けない。つまり、下腿部Ｋの上部を保護する部分（上側の分割被覆部材２Ａ）と、下腿部Ｋの下部を保護する部分（下側の分割被覆部材２Ｂ）とが相互に悪影響（形状を変化させたり、皺や弛みによる大きな空間を形成するような影響）を及ぼすことがなく、下腿部Ｋの上部と下部で独立的に締め付け力の調整を可能にする。
【００２８】
そして、連結部20に形成された通気孔21が、図１の矢印に示すように、使用状態で発生する熱い不快な熱気を外部に放出させる、又は、外気を取り込んで、下腿被覆部材２の内面２ａと使用者の間に冷却効果をもたらす。通気孔21によって下腿被覆部材２の内面２ａと使用者の間に空気の流れをつくり、蒸れを軽減し、快適にプレーさせる。
【００２９】
次に、図６に他の実施の形態を示す。他の実施の形態は、下腿被覆部材２を上下方向に３分割し、３個の分割被覆部２Ａ’，２Ｂ’，２Ｃ’を形成している。このように構成することで、各分割被覆部２Ａ’，２Ｂ’，２Ｃ’を、保護すべき下腿部Ｋの部位に、より沿わせて密着させることが可能となる。言い換えると、分割被覆部２Ａ’，２Ｂ’，２Ｃ’をより密着させるための形状に各々を容易に成形できる。
【００３０】
例えば、上側の分割被覆部２Ａ’を下腿部Ｋの最も太い部位（脹脛近傍）に対応させ、下側の分割被覆部２Ｃ’を下腿部Ｋの最も細い部位（足首Ｋｂ近傍）に対応させ、中間の分割被覆部２Ｂ’を太い部位から細い部位に変化する段差部位に対応させることができ、装着状態での密着性がより向上し、不快感や位置ズレを防止し確実に下腿部Ｋを保護する。つまり、分割被覆部２Ａ’，２Ｂ’，２Ｃ’を、上側から中間そして下側に向かうにつれて次第に小さくなるようにしている。
【００３１】
また、上側の分割被覆部２Ａ’と中間の分割被覆部２Ｂ’を縫製によって接続する連結部20、及び、中間の分割被覆部２Ｂ’と下側の分割被覆部２Ｃ’を縫製によって接続する連結部20夫々に通気孔21を形成することができ、より通気性を向上させることができる。
【００３２】
次に、図７に別の実施の形態を示す。別の実施の形態は、内面２ａ側に、脛部Ｋｃの前方先端部ｋに沿って平行に配設される左右一対の凸条部30，30を有している。
装着状態で、左右一対の凸条部30，30の間に、脛部Ｋｃの前方先端部ｋが入り込む凹条部31を形成し、位置ズレを防止すると共に衝撃を緩和するように形成したものである。
なお、図４及び図５と図７に於て、二点鎖線で示す装着時の下腿部Ｋと、実線で示す下腿被覆部材２との区別を容易にするために、実際よりも相互の間を一部大きく空けて、図示している。
【００３３】
本発明は設計変更可能であって、下腿被覆部材２を上下方向に４分割して、４個の分割被覆部２Ａ’’…を形成しても良い。また、連結部20において、非縫製部位29を、１箇所又は２箇所、或いは４箇所以上設けても良い。即ち、連結部20に、通気孔21を１つ又は２つ、或いは４つ以上形成しても良い。また、下腿被覆部材２は、外被覆部材51を、凹溝を有する上金型と平面状下金型で熱圧縮成形（又はコールドプレス成形）し凸条部30を形成して、クッション部材53を省略しても良い。また、内被覆部材52を、凹溝を有する雌金型と凸部を有する雄金型で熱圧縮成形（又はコールドプレス成形）して内面２ａ方向に窪んだ凹溝を形成し、その凹溝にクッション部材53を嵌め込んで、縫製しても良い。また、各雌バックル部材41，43，45のベルトをゴムベルトとしても良い。下腿上部雌バックル部材43と下腿上部雄バックル部材44を係合させて装着しても良い。
【００３４】
以上のように、本発明の脚部保護具は、人体の膝近傍Ｋａから足首Ｋｂまでの下腿部Ｋを保護する下腿保護部１を備え、下腿保護部１は、人体の脛部Ｋｃの前方を保護する脛保護部材３と、下腿部Ｋの左右側面を保護する可撓性の左右突片部25，25を有すると共に脛保護部材３の裏面３ａ側に取着される横断面Ｃ字状の下腿被覆部材２と、を具備し、下腿被覆部材２を上下方向に分割して、２個以上の分割被覆部２Ａ，２Ｂを形成したので、太さの異なる部位に、立体的に沿うように対応して確実に密着し、下腿部Ｋを保護できる。分割被覆部２Ａ，２Ｂを夫々保護すべき部位に対応した形状に成形でき、密着性を向上させて位置ズレを防止し、確実に保護できる。下腿部Ｋの太さの異なる部位に応じて、独立的にバックル部材のベルト締め付け力を調整可能にし、装着時の違和感を軽減できる。下腿被覆部材２と下腿部Ｋの間に不要な空間（隙間）の発生を防止し、密着性を向上できる。下腿部Ｋの上部又は下部の何れか一方をバックル部材のゴムベルト等で強く締め付けても、他方が引き込まれるような変形等がなく、太さの異なる部位に応じた所望の密着力（締め付け力）を得ることができる。
【００３５】
また、上下方向に隣合う分割被覆部２Ａ，２Ｂを相互に縫製によって接続する連結部20を有し、連結部20には、内面２ａ側と外面２ｂを連通する通気孔21を、非縫製部位29によって形成したので、使用者と下腿被覆部材２の間の蒸れを軽減し、使用者に快適にプレーさせることができる。使用者と下腿被覆部材２の間から熱気を排出できる。或いは、外気を取り込むことができる。分割被覆部２Ａ，２Ｂの接続と、通気孔20の形成を、縫製によって、略同時に（同工程にて）行なうことができ、容易かつ迅速に製造できる。
【符号の説明】
【００３６】
１  下腿保護部
２  下腿被覆部材
２Ａ，２Ｂ  分割被覆部
２ａ  内面
２ｂ  外面
３  脛保護部材
３ａ  裏面
20  連結部
21  通気孔
25，25  左右突片部
29  非縫製部位
Ｋ  下腿部
Ｋａ  膝近傍
Ｋｂ  足首
Ｋｃ  脛部
【図１】
2011041609.tif 000003
【図２】
2011041609.tif 000004
【図３】
2011041609.tif 000005
【図４】
2011041609.tif 000006
【図５】
2011041609.tif 000007
【図６】
2011041609.tif 000008
【図７】
2011041609.tif 000009